(57)【要約】【課題】腹部のほぼ全体に亘って、適切な刺激を与え、また、着脱可能な補助ベルトにより、指圧効果を選択可能とし、さらに、種類の異なる突起部により、異なる刺激を得る。【解決手段】衣服の上から胴回りに着用するベルト本体を有し、ベルト本体に、腹部を刺激する指圧用の突起部を設けて構成されたダイエット喚起用指圧ベルトについて、着用時に腹部前面に配置されることになるベルト本体１１の箇所に、内側に向けて突出する、相対的に細い軸状の突起部１５を、複数個相互に間隔を設けて、かつ、腹部のほぼ全体の範囲に亘って、ベルト本体の長手方向に植設し、ベルト本体の内側に配置して、内周を狭めることになる着脱可能な補助ベルト２１を、ベルト本体の内側に固定するために、上記軸状の突起部に嵌合可能な複数個の小孔２３を補助ベルトに固定手段として設け、上記補助ベルトの内側に、軸状の内突起２２を複数個植設する。【選択図】          図１
0003128250.tif 000002
【実用新案登録請求の範囲】
【請求項１】
衣服の上から胴回りを締め付けるように着用するベルト本体を有し、ベルト本体には、腹部を刺激する指圧用の突起部を設けて構成されたダイエット喚起用指圧ベルトであって、
着用時に腹部前面に配置されることになるベルト本体の箇所に、内側に向けて突出する、相対的に細い軸状の突起部を、複数個相互に間隔を設けて、かつ、腹部のほぼ全体の範囲に亘って、ベルト本体の長手方向に植設し、ベルト本体の内側に配置して、内周を狭めることになる着脱可能な補助ベルトを、ベルト本体の内側に固定するために、上記軸状の突起部に嵌合可能な複数個の小孔を補助ベルトに固定手段として設け、上記補助ベルトの内側に、軸状の内突起を複数個植設して成るダイエット喚起用指圧ベルト。
【請求項２】
指圧用の磁石を有する、相対的に平たい突起部を、補助ベルトを設けない位置のベルト本体の内側に複数個設けて成る請求項１記載のダイエット喚起用指圧ベルト。
【請求項３】
柔軟な樹脂やゴムのように弾力性を有する材料によって形成した、塊状の突起部を、補助ベルトを設けない位置のベルト本体の内側に複数個設けて成る請求項１記載のダイエット喚起用指圧ベルト。
【請求項４】
軸状の内突起は、ベルト本体に設けられた、相対的に細い、軸状の突起部とほぼ同じ突起形状を有する請求項１記載のダイエット喚起用指圧ベルト。
【考案の詳細な説明】
【技術分野】
【０００１】
本考案は、衣服の上から胴回りに締め付けるように着用するもので、ベルト本体には、胴部を刺激する指圧用の突起部を設けて構成されたダイエット喚起用指圧ベルトに関するものである。
【背景技術】
【０００２】
例えばベルトとして着用している内に、指圧突起による刺激を腹部に与えて、ダイエットの補助ができるのではないかとの着想から、例えば健康○○、或いは□□ベルトなどと称するものが種々開発されている。それらは、一定の範囲で効果があると認められ、健康商品として市場に出回っているものである。
【０００３】
先行の出願についてみると、例えば、実開昭６０−１０６４４号の考案は、ベルトを取り付けたシートに、表面に押圧突起を有する短冊状の突起固定版を、その長手方向がベルトと直角を成すように固着した指圧腹帯を開示している。しかし、これでは押圧突起が一箇所にまとまり、皆同じ高さのため、押圧突起の集団による刺激になると考えられる。
【０００４】
また、実開昭６０−１２８６３１号の考案は、蒲鉾状の構造の本体を有しているので、その頂点に沿って並ぶ突起により、身体の目的箇所を押圧することができるものと考えられる。しかし、指圧突起は、上記のものと同様に、多数が密集している形態を取るので、刺激の変化に乏しいと考えられる。
【０００５】
【特許文献１】実開昭６０−１０６４４号
【特許文献２】実開昭６０−１２８６３１号
【考案の開示】
【考案が解決しようとする課題】
【０００６】
本考案は前記の点に着目してなされたものであり、その課題は、腹部のほぼ全体に亘って、適切な刺激を与えることができるようにすることである。また本考案の他の課題は、着脱可能な補助ベルトを備えることにより、指圧効果を任意に選択できるようにすることである。また本考案の他の課題は、種類の異なる突起部により、異なる刺激を同時に得ることができるようにすることである。
【課題を解決するための手段】
【０００７】
前記の課題を解決するため、本考案は、衣服の上から胴回りを締め付けるように着用するベルト本体を有し、ベルト本体には、腹部を刺激する指圧用の突起部を設けて構成されたダイエット喚起用指圧ベルトについて、着用時に腹部前面に配置されることになるベルト本体の箇所に、内側に向けて突出する、相対的に細い軸状の突起部を、複数個相互に間隔を設けて、かつ、腹部のほぼ全体の範囲に亘って、ベルト本体の長手方向に植設し、ベルト本体の内側に配置して、内周を狭めることになる着脱可能な補助ベルトを、ベルト本体の内側に固定するために、上記軸状の突起部に嵌合可能な複数個の小孔を補助ベルトに固定手段として設け、上記補助ベルトの内側に、軸状の内突起を複数個植設するという手段を講じたものである。
【０００８】
本考案のダイエット喚起用指圧ベルトは、衣服の上から胴回りを締め付けるように着用するものである。そのベルト本体には、腹部を刺激する指圧用の突起部を設け、その突起部の形態に後述するような工夫、改良を加えている。なお、着用者に対しては、与えられる刺激から、飲食量を抑制する気分になることをも期待する。
【０００９】
突起部としては、比較的鋭い刺激、比較的鈍い刺激、それらの中間程度の刺激など、異なる刺激が得られることが望ましい。本考案に適用する刺激としては、突起部による圧迫性の刺激のみならず、磁石による血流促進性の刺激や、ゲルマニウム等の鉱物による刺激なども併用して良い。
【００１０】
まず、ベルト本体の長手方向には、着用時に腹部前面に配置されることになる箇所に、内側に向けて突出する、相対的に細い軸状の突起部を植設する。この突起部は、前記の例で言えば、比較的鋭い刺激に相当する。目的とする刺激を的確に得るために、相対的に細い軸状の突起部を、複数個相互に間隔を設けて、かつ、腹部前面のほぼ全体の範囲に亘って植設する。腹部前面のほぼ全体とは、脂肪層の厚さの最も厚い、臍を中心としてその左右の脇腹までの範囲がほぼ該当する。
【００１１】
本考案では、補助ベルトを選択的に使用するものとする。補助ベルトは、ベルト本体の内側に配置して、内周を狭めることになる着脱可能なもので、その内側に、複数個植設した、軸状の内突起を有する。この着脱可能な補助ベルトを、ベルト本体の内側に固定するために、上記軸状の突起部に嵌合可能な複数個の小孔を補助ベルトに固定手段として設ける。軸状の内突起は、ベルト本体に設けられた、相対的に細い、軸状の突起部とほぼ同じ突起形状が良い。
【００１２】
さらに、本考案では、指圧用の磁石を有する、相対的に平たい突起部を、補助ベルトを設けない位置のベルト本体の内側に複数個設けることができる。この平たい突起部は、どちらかと言えば、脂肪の少ない背中の側に配置する。また、磁力線による血流促進が目的であるので、刺激としては、前記の比較的鈍い刺激で良い。
【００１３】
上記の比較的鋭い刺激の突起と、鈍い刺激の突起の他に、柔軟な樹脂やゴムのように弾力性を有する材料によって形成した、塊状の突起部を、補助ベルトを設けない位置のベルト本体の内側に複数個設けことができる。この塊状の突起部は、どちらかと言えば、脂肪層の厚さが少ない範囲例えば脇腹に配置する。
【考案の効果】
【００１４】
本考案は以上のように構成され、かつ作用するものであるから、ベルト本体の長手方向に植設した、相対的に細い軸状の突起部により、腹部前面のほぼ全体に亘って、適切な刺激を与えることができ、かつまた、内側に軸状の内突起を複数個植設して成る着脱可能な補助ベルトにより、内周を狭めて指圧効果を任意に選択することができる。また本考案によれば、高さや、硬さ、或いは磁力等を発する、種類の異なる突起部により、異なる刺激を同時に得ることができる。
【考案を実施するための最良の形態】
【００１５】
以下図示の実施形態を参照して、本考案をより詳細に説明する。図１は、本考案に係るダイエット喚起用指圧ベルト１０を示すもので、ベルト本体１１は、衣服の上から胴回りを締め付けるように着用することができる長さを有する。図示のベルト本体１１は、バックル１２付きのベルトの例であり、バックル１２のピン１３を通すピン穴１４が開けられている。
【００１６】
ベルト本体１１には、着用時に腹部前面に配置されることになるバックル１２とピン穴１４の近傍の箇所に、内側に向けて突出し、かつ相対的に細い軸状の突起部１５を、長手方向に植設する。この突起部１５は、前記のように腹部前面に比較的鋭い刺激を得るもので、複数個を相互にベルト幅以上の間隔を設けて、かつ、腹部のほぼ全体即ち臍を中心としてその左右の脇腹までの範囲に亘るように、例えば左右各３個ずつ配置する。１６は無突起部で、背骨部に対応する部位に設定されている。
【００１７】
ベルト本体１１には、着脱可能な補助ベルト２１を選択的に使用するものとする。補助ベルト２１は、ベルト本体１１の内側に配置して、内周を狭めることになるもので、ベルト本体１１とほぼ同じ幅を有し、かつまた腹部のほぼ全体に及ぶ長さを有している。そしてその内側に、軸状の内突起２２を、中央部に例えば３個、前記突起部１５とほぼ同等の間隔で植設した構成を有している。
【００１８】
また、内突起２２の左右両端部側には、前記の突起部１５に嵌合可能な小孔２３を各々３個ずつ形成している。この突起部１５に嵌合可能な小孔２３は、補助ベルト２１を、ベルト本体１１の内側に固定するための固定手段として設けられており、従って、その間隔は、前記突起部１５と嵌合可能な間隔である。なお、補助ベルト２１の軸状の内突起２２は、ベルト本体１１の軸状の突起部１５とほぼ同じ突起形状を有している。
【００１９】
さらに、本考案では、指圧用の磁石２４を有する、相対的に平たい突起部２５を、補助ベルト２１を設けない位置のベルト本体１１の内側に複数個設けている。この平たい突起部２４は、脂肪の少ない背中の側に位置する。上記の比較的鋭い刺激の突起部１５と、鈍い刺激の突起部２５の他に、柔軟な樹脂やゴムのように弾力性を有する材料によって形成した、塊状の突起部２６を、補助ベルト２１を設けない位置のベルト本体１１の内側に複数個設けている。この塊状の突起部２６は、脂肪層の厚さが少ない左右の脇腹に位置する。
【００２０】
このような本考案のダイエット喚起用指圧ベルト１０を腹部Ｂに着用するには、比較的鋭い刺激の突起部１５が、臍を中心とする位置に来るように位置を合わせ、また、余り強く締め過ぎないように加減して、まず、ベルト本体１１を着用する。このダイエット喚起用指圧ベルト１０では、比較的鋭い刺激の突起部１５が、臍を中心とする脂肪層の厚さの最も厚い腹部全体に比較的鋭い刺激を与え、弾力性を有する材料によって形成した、塊状の突起部２６が左右脇腹部分に対してやや鈍い刺激を与え、さらに、磁石２４を有する相対的に平たい突起部２５が、磁力線による血流促進作用を背部に及ぼす。
【００２１】
さらに、補助ベルト２１を、ベルト本体１１の内側に突起部１５を利用して固定することができ、それによってベルト本体１１の内周を狭めることになるので、補助ベルト２１を使用しないときよりも強く、しかし突起部１５によって支えられているので、やや弾力的に、腹部全体に比較的鋭い刺激を与えることになる。塊状の突起部２６による左右脇腹に対するやや鈍い刺激、及び磁石２４を有する相対的に平たい突起部２５による血流促進作用については、補助ベルト２１を使用しないときと同様である。
【産業上の利用可能性】
【００２２】
頭部に着用可能にすることにより、髪の毛の生え際の血行促進に利用することができるものとなる。
【図面の簡単な説明】
【００２３】
【図１】本考案に係るダイエット喚起用指圧ベルトの一例を示す斜視図。
【図２】同上のベルト本体の要部を示す説明図。
【図３】同じく補助ベルトの説明図。
【図４】本考案の指圧ベルトの着用時の部分断面図。
【図５】同じく、使用状態の説明図。
【符号の説明】
【００２４】
１０  ダイエット喚起用指圧ベルト
１１  ベルト本体
１２  バックル
１３  ピン
１４  ピン孔
１５  突起部
１６  無突起部
２１  補助ベルト
２２  軸状の内突起
２３  小孔
２４  磁石
２５  平たい突起部
２６  塊状の突起部
【図１】
0003128250.tif 000003
【図２】
0003128250.tif 000004
【図３】
0003128250.tif 000005
【図４】
0003128250.tif 000006
【図５】
0003128250.tif 000007